(57)【要約】【課題】  コストを抑えつつバリアフリー化を可能にし、且つ、美観の向上と異物落下の防止を図れる構造を実現する。又、シール性を確保しつつ、窓枠１へのガラス障子２ａ、２ｂの着脱作業の容易化を図る。【解決手段】  下枠４として上面に下部案内レール１４ａ、１４ｂを備えたものを使用する。又、上記下部案内レール１４ａ、１４ｂの上端縁を、上記下枠４の上面のうちで人や物が移動する部分よりも下方に位置させる。上記各下部案内レール１４ａ、１４ｂを設置した凹部１５ａ、１５ｂの上端開口で、ガラス障子２ａ、２ｂにより覆われない部分をカバー帯２４ａ、２４ｄにより覆う事で、美観の向上と異物の落下防止とを図る。カバー帯２４ａ、２４ｄの屋内側縁を案内するガイド溝２５ａとシールリップ２７とを備えたガイド部材２６ａを一体構造とし、上記下枠４の上面と垂下壁部２３ａ、２３ｂの下端縁との距離ｈを小さくする。【選択図】  図６
2005226325.tif 000002
【特許請求の範囲】
【請求項１】
引戸装置を構成する下枠の上面に設けられた凹部の上端開口部を覆う帯状のカバー帯の側縁を案内する為のガイド溝と、上記下枠の上面を移動する引戸障子を構成する下框の下端部に設けられた垂下壁部の側面に当接するシールリップとを一体に設けて成り、上記凹部の上部内側面で上記下枠に係止された状態で使用される引戸装置用シールリップ付ガイド部材。
【請求項２】
下辺を構成する下框に複数の戸車を、横軸を中心とする回転自在に支持した引戸障子と、これら各戸車の外周面に全周に亙って形成した凹溝と係合する事でこの引戸障子の水平移動を案内する下部案内レールをその上面に形成した下枠を含む窓枠とを備えた引戸装置に於いて、この下部案内レールは、この下枠の上面に上記引戸障子の移動方向に亙って存在する凹部の底面から上方に突出した状態で設けられ、その上端縁がこの下枠の上面のうちでこの凹部の両側に存在する部分よりも上方には突出しないものであり、上記引戸障子の縦辺を構成する竪框の下端部と上記窓枠の端部との間に設けたカバー帯をこの引戸障子の移動に伴って移動させる事により、上記凹部の上端開口部で上記引戸障子により覆われていない部分を覆う様に構成しており、上記カバー帯は、可撓性及び押し付け力により移動可能な程度の剛性を有する弾性材製であり、このカバー帯の一端が上記竪框の下端部に結合されると共に、このカバー帯の中間部が、互いに直角に結合された下枠と縦枠との連続部に固定されたガイド部材の内部に設けられたガイド通路に案内されて、移動方向を水平方向から垂直方向に９０度変更されており、垂直方向に移動する上記カバー帯の一部は、上記縦枠内に存在しており、上記凹部を仕切る１対の内側面の上端部開口寄り部分に、それぞれが上記カバー帯の両端縁を係合させてこのカバー帯を案内するガイド溝を有する１対のガイド部材が、上記１対の内側面の上端部開口寄り部分に係止された状態で設けられており、これら両ガイド部材のうちの少なくとも一方のガイド部材のうちで上記ガイド溝よりも下方に存在する部分にシールリップが、当該ガイド部材と一体に設けられており、このシールリップの先端が、上記下框の下端部に設けられて上記凹部内に入り込んだ垂下壁部の側面に摺接している引戸装置。
【請求項３】
シールリップを設けたガイド部材が屋内側のガイド部材で、このシールリップの先端縁は、下部案内レールよりも屋内寄り部分で凹部内に入り込んだ垂下壁部の屋内側面に摺接しており、屋外側のガイド部材にはシールリップを設けていない、請求項２に記載した引戸装置。
【請求項４】
ガイド部材が複数種類の高分子材料を組み合わせて造られてものであり、このうちのガイド溝の内面及びシールリップのうちで垂下壁部と摺接する部分を構成する高分子材料が摩擦係数の低い高分子材料であり、上記ガイド部材を下枠に対し係止する部分が弾性を有する高分子材料である、請求項２〜３の何れかに記載した引戸装置。
【発明の詳細な説明】
【技術分野】
【０００１】
この発明は、バリアフリーサッシと呼ばれる、下枠の上面を平坦にした窓枠に引戸障子を建て込んで成る引戸装置、並びに、この引戸装置に組み込むガイド部材の改良に関する。
【背景技術】
【０００２】
高齢者や身体障害者の移動の容易性を確保する為に、バリアフリーサッシと呼ばれる、下枠の上面を平坦にした窓枠の構造が、例えば特許文献１〜４に記載される等により、従来から各種知られている。これら各特許文献に記載された構造は、何れも、引戸障子の下框に設置した戸車の外周面が単なる円筒面で、上記下枠の上面でこの戸車の外周面が転がり接触する部分が平坦面となっている。
【０００３】
この様な従来構造の場合、戸車として、従来一般的に使用されていたものとは異なる、特殊なものを使用する為、今後広く普及しない限り、コストが嵩む可能性がある。特に現状では、故障した戸車を修理・交換する際に、戸車の取り寄せに要する手間やコストが、一般的な、外周面に全周に亙って凹溝を形成したものに比べて嵩む可能性がある。又、戸車と下枠との係合部で、引戸障子の屋内外方向に関する位置決めを図れない為、別途この引戸障子の屋内外方向に関する位置決めを図る為の構造が必要になる。
【０００４】
この様な事情を考慮した場合、下枠として上面に下部案内レールを備えたものを使用すると共に、この下部案内レールの上端縁を、この下枠の上面のうちで人や物が移動する部分よりも下方に位置させる構造を採用する事が有利である。この場合、下枠の上面に凹部を、引戸障子の移動方向に亙って設け、上記下部案内レールを、この凹部の底面から上方に突出する状態で設ける。従って上記下枠の上面には、この凹部の開口部が存在し、この開口部の中央部に上記下部案内レールの上端縁が存在する状態となる。
【０００５】
上記凹部及び下部案内レールは、上記下枠の全長に亙って設けるのに対し、上記引戸障子の長さ（幅）はこの下枠の全長よりも短い。この為、上記凹部の開口部及び下部案内レールの上端縁の長さ方向の一部は、上記引戸障子により覆われる事なく露出する。この為、当該部分の体裁が悪くなるだけでなく、異物が上記凹部内に落下した場合に、この異物を取り出しにくくなる。即ち、上記凹部の開口部のほぼ中間部に上記下部案内レールの上端縁が存在する為、この開口部は幅方向に２分割されて狭くなる。この結果、上記凹部内にピン等の異物が落下した場合に、この異物を取り出しにくくなる。
【０００６】
特許文献５には、昇降式のシャッタの両側縁部を案内する為の昇降案内溝の一部でシャッタパネルを巻き上げた場合にこのシャッタパネルの下方に露出する部分を、帯状封止材により覆う構造が記載されている。但し、この様な特許文献５に記載された構造は、鉛直方向に存在する溝の開口部を覆う事のみを意図していて、引戸装置の下枠の上面に存在する溝部の上端開口を覆う事を意図しているものではない。又、帯状封止材を巻き取り機構により巻き取る等、構造が複雑で、設置スペースが限られた引戸装置に適用する事は難しい。
【０００７】
【特許文献１】実公昭５５−１９８１４号公報
【特許文献２】特開２０００−９６９３４号公報
【特許文献３】特許第３２３３９２０号公報
【特許文献４】特許第３２３３９２１号公報
【特許文献５】特開平５−３４０１７３号公報
【発明の開示】
【発明が解決しようとする課題】
【０００８】
本発明は、上述の様な事情に鑑みて、下枠として上面に下部案内レールを備えたものを使用すると共に、この下部案内レールの上端縁を、この下枠の上面のうちで人や物が移動する部分よりも下方に位置させた構造で、下枠上面の体裁を良好にし、且つ、凹部内への異物の落下を防止できる構造を実現すべく発明したものである。
同時に本発明は、屋内外の気密保持を良好に図ると共に、窓枠に対して引戸障子を着脱する作業を容易に行なえる構造を実現できる様にするものである。
【課題を解決するための手段】
【０００９】
本発明の引戸装置用シールリップ付ガイド部材及び引戸装置のうち、請求項１に記載した引戸装置用シールリップ付ガイド部材は、引戸装置を構成する下枠の上面に設けられた凹部の上端開口部を覆う帯状のカバー帯の側縁を案内する為のガイド溝と、上記下枠の上面を移動する引戸障子を構成する下框の下端部に設けられた垂下壁部の側面に当接するシールリップとを一体に設けて成る。そして、上記凹部の上部内側面で上記下枠に係止された状態で使用される。
【００１０】
又、請求項２に記載した引戸装置は、従来から一般的に実施されている引戸装置と同様に、下辺を構成する下框に複数の戸車を、横軸を中心とする回転自在に支持した引戸障子と、これら各戸車の外周面に全周に亙って形成した凹溝と係合する事でこの引戸障子の水平移動を案内する下部案内レールをその上面に形成した下枠を含む窓枠とを備える。
【００１１】
特に、本発明の引戸装置に於いては、この下部案内レールは、この下枠の上面に上記引戸障子の移動方向に亙って存在する凹部の底面から上方に突出した状態で設けられ、その上端縁がこの下枠の上面のうちでこの凹部の両側に存在する部分よりも上方には突出しないものである。
又、上記引戸障子の縦辺を構成する竪框の下端部と上記窓枠の端部との間に設けたカバー帯をこの引戸障子の移動に伴って移動させる事により、上記凹部の上端開口部で上記引戸障子により覆われていない部分を覆う様に構成している。
上記カバー帯は、薄肉のステンレス鋼板等の、可撓性及び押し付け力により移動可能な程度の剛性を有する弾性材製である。このカバー帯は、その一端が上記竪框の下端部に結合されると共に、その中間部が、互いに直角に結合された下枠と縦枠との連続部に固定されたガイド部材の内部に設けられたガイド通路に案内されて、移動方向を水平方向から垂直方向に９０度変更されている。又、垂直方向に移動する上記カバー帯の一部は、上記縦枠内に存在している。
又、上記凹部を仕切る１対の内側面の上端部開口寄り部分に、それぞれが上記カバー帯の両端縁を係合させてこのカバー帯を案内するガイド溝を有する１対のガイド部材が、上記１対の内側面の上端部開口寄り部分に係止された状態で設けられている。
更に、上記両ガイド部材のうちの少なくとも一方のガイド部材のうちで上記ガイド溝よりも下方に存在する部分にシールリップが、当該ガイド部材と一体に設けられている。そして、このシールリップの先端が、上記下框の下端部に設けられて上記凹部内に入り込んだ垂下壁部の側面に摺接している。
【発明の効果】
【００１２】
上述の様に構成する本発明の引戸装置の場合、下枠として上面に下部案内レールを備えたものを使用する為、引戸障子の下框に設ける戸車として、外周面に全周に亙って凹溝を形成したものを使用できる。この為、戸車自体のコストを低く抑えられる他、戸車と下部案内レールとの係合部で、引戸障子の屋内外方向に関する位置決めを図れる。従って、別途この引戸障子の屋内外方向に関する位置決めを図る為の構造を設ける必要がなく、この面からもコスト低減を図れる。
又、上記下部案内レールの上端縁を、この下枠の上面のうちで人や物が移動する部分よりも下方に位置させているので、下枠の上面を実質的に平坦にして、この人や物の移動を容易に行なえる様にできる。
又、上記下部案内レールの上端縁を上方に突出させない様にする為に上記下枠の上面に設けた凹部の上端開口部で上記引戸障子により覆われていない部分を、カバー帯により覆う為、上記下枠上面の体裁を良好にし、且つ、凹部内への異物の落下を防止できる。
又、ガイド溝を備えたガイド部材を設けているので、上記カバー帯の浮き上りを防止しつつ、このカバー帯の移動に要する力を低減し、このカバー帯の一端を結合した引戸障子の移動に要する力の低減を図れる。
更に、上記ガイド部材にシールリップを、一体に設けている為、引戸障子を構成する下框と窓枠を構成する下枠との間の隙間を塞いで、屋内外の気密保持を良好に図れる。しかも、凹部の深さ方向に関して、ガイド溝とシールリップとの距離を短くできる為、この凹部内への垂下壁部の進入量を小さくしても、このシールリップの先端縁をこの垂下壁部の側面に確実に当接させられる。上記進入量を少なく抑える事により、引戸障子を少し上昇させただけで、上記垂下壁部の下端縁が上記凹部の上端開口から上方に出る様になって、窓枠に対して引戸障子を着脱する作業を容易に行なえる構造を実現できる。
【発明を実施するための最良の形態】
【００１３】
本発明を実施する場合に例えば、請求項３に記載した様に、シールリップを設けたガイド部材を屋内側のガイド部材とする。そして、このシールリップの先端縁を、下部案内レールよりも屋内寄り部分で凹部内に入り込んだ垂下壁部の屋内側面に摺接させる。一方、屋外側のガイド部材にはシールリップを設けない。
この様な構成を採用すれば、引戸障子に風が吹き付けられて、この引戸障子が屋内側に押された場合に、上記シールリップの先端縁と上記垂下壁部とを確実に当接させて、下框と下枠との間の気密保持を良好にできる。そして、引戸障子を開閉する場合を含めて通常時には、上記シールリップの先端縁と上記垂下壁部との接触面圧を低く抑えられる為、上記引戸障子を開閉する為に要する力を低く抑えられる。
【００１４】
又、好ましくは、請求項４に記載した様に、上記ガイド部材を、複数種類の高分子材料を組み合わせて造る。そして、このうちのガイド溝の内面及びシールリップのうちで垂下壁部と摺接する部分を構成する高分子材料を摩擦係数の低い高分子材料とする。又、上記ガイド部材を下枠に対し係止する部分を弾性を有する高分子材料とする。
この様に構成すれば、上記ガイド部材を下枠に組み付ける作業を面倒にする事なく、カバー帯の端縁と上記ガイド溝との摺接部、並びに、シールリップと垂下壁部との摺接部の摩擦抵抗を低く抑え、引戸障子を移動させる為に要する力を軽減できる。
【実施例１】
【００１５】
図１〜１０は、本発明の実施例１を示している。本実施例は、本発明を、掃き出し窓として一般的な、引違戸に適用した場合に就いて示している。この為に本実施例の場合には、窓枠１の内側に、それぞれが特許請求の範囲に記載した引戸障子である１対のガラス障子２ａ、２ｂを、引き違い式に建て込んでいる。このうちの窓枠１は、上辺を構成する上枠３と、下辺を構成する下枠４と、左右の縦辺を構成する竪枠５ａ、５ｂとにより、矩形に構成している。これら各枠３、４、５ａ、５ｂは、それぞれアルミニウム合金の一体押し出し成形材製である。又、上記各ガラス障子２ａ、２ｂは、それぞれの上辺を構成する上框６ａ、６ｂと、同じく下辺を構成する下框７ａ、７ｂと、左右の縦辺を構成する竪框である、召し合わせ框８ａ、８ｂ及び突き合わせ框９ａ、９ｂとにより、ガラスパネル１０ａ、１０ｂの四辺を囲んで成る。これら各框６ａ、６ｂ、７ａ、７ｂ、８ａ、８ｂ、９ａ、９ｂも、アルミニウム合金の一体押し出し成形材製である。このうちの召し合わせ框８ａ、８ｂは、上記掃き出し窓の閉鎖時に上記窓枠１の中央に位置して、屋内外方向に亙り互いに対向する。これに対して上記各突き合わせ框９ａ、９ｂは、上記掃き出し窓の閉鎖時に上記窓枠１の端部に位置して、上記各竪枠５ａ、５ｂに突き合わされる。
【００１６】
上記各ガラス障子２ａ、２ｂは上記窓枠１の内側に、一般的に知られている引違戸と同様の構造により、水平移動自在に建て込まれている。この為に、上記上枠３の下面に１対の上部案内レール１１ａ、１１ｂを、屋内外方向に離隔した状態で設けている。そして、上記各召し合わせ框８ａ、８ｂ及び突き合わせ框９ａ、９ｂの上端部に支持したガイドブロック１２ａ、１２ｂに形成したガイド溝１３ａ、１３ｂに上記各上部案内レール１１ａ、１１ｂを係合させている。この構成により、上記各ガラス障子２ａ、２ｂの上端部を上記上枠３に沿う平行移動自在に支持している。
【００１７】
これに対して、上記下枠４に１対の下部案内レール１４ａ、１４ｂを、屋内外方向に離隔した状態で設けている。但し、本実施例の場合、一般的な引違戸を構成する下枠とは異なり、上記各下部案内レール１４ａ、１４ｂを、上記下枠４の上面にこの下枠４の全長に亙って設けた１対の凹部１５ａ、１５ｂの底面から、上方に突出した状態で設けられている。又、上記各下部案内レール１４ａ、１４ｂの高さ寸法は上記各凹部１５ａ、１５ｂの深さ寸法よりも小さくして、これら各下部案内レール１４ａ、１４ｂの上端縁が、上記下枠４の上面のうちで上記各凹部１５ａ、１５ｂの両側に存在する部分よりも下方に位置する様にしている。この構成により、上記各下部案内レール１４ａ、１４ｂの存在に拘らず、上記下枠４の上面を幅の狭い上記各凹部１５ａ、１５ｂの上端開口部を除き、実質的に平坦にして、高齢者や障害者、更には車椅子等の移動を容易に行なえる様にしている。
【００１８】
この様な構成を有する上記下枠４に沿う移動を可能にする為に、上記各ガラス障子２ａ、２ｂの下辺を構成する前記下框７ａ、７ｂの両端部近傍部分に戸車１６ａ、１６ｂを、屋内外方向に設けられた横軸を中心とする回転自在に支持している。これら各戸車１６ａ、１６ｂは、従来から一般的な引違戸に使用されていた戸車と同様のもので、外周面中央部に凹溝１７ａ、１７ｂを、全周に亙り形成している。この様な凹溝１７ａ、１７ｂを設けた上記各戸車１６ａ、１６ｂをそれぞれ１対ずつ支持した上記各下框７ａ、７ｂは、上記下部案内レール１４ａ、１４ｂと上記各凹溝１７ａ、１７ａとを係合させる事で、上記下枠４の上方位置に、この下枠４に沿った水平移動を自在に支持している。
以上の構成により、上記各ガラス障子２ａ、２ｂを上記窓枠１の内側に、水平移動自在に建て込んでいる。
【００１９】
又、図示の例では、上記下枠４の屋外側端部（図５、６の左端部）上面に形成した屋外端突条１８と、上記１対の凹部１５ａ、１５ｂ同士を仕切る中央突条１９との屋内側面（図５、６の右側面）に、それぞれブラケット２０ａ、２０ｂを係止している。上記各下部案内レール１４ａ、１４ｂのうち、屋外側の下部案内レール１４ａの上半部は、屋外側のブラケット２０ａと上記中央突条１９との間に存在する。そして、上記屋外側の戸車１６ａの一部は、これらブラケット２０ａと中央突条１９との上半部同士の間に入り込んでいる。これに対して、屋内側の下部案内レール１４ｂの上半部は、屋内側のブラケット２０ｂと、上記下枠４の屋内側端部（図５、６の右端部）上面に形成した屋内端突条２１との間に存在する。そして、上記屋内側の戸車１６ｂの一部は、これら屋内側のブラケット２０ｂと屋内端突条２１との上半部同士の間に入り込んでいる。
【００２０】
又、前記各下框７ａ、７ｂの屋内側壁２２ａ、２２ｂの下端部を下方に延長する事で、それぞれ垂下壁部２３ａ、２３ｂを形成している。そして、前記屋外側のガラス障子２ａに関する垂下壁部２３ａの上下方向中間部乃至下端部を、上記屋外側の下部案内レール１４ａの上半部屋内側面と、上記中央突条１９の上半部屋外側面との間に進入させている。これに対して、前記屋内側のガラス障子２ｂに関する垂下壁部２３ｂの上下方向中間部乃至下端部を、上記屋内側の下部案内レール１４ｂの上半部屋内側面と、上記屋内端突条２１の上半部屋外側面との間に進入させている。
【００２１】
上述の様に、前記各戸車１６ａ、１６ｂの下端部と上記各垂下壁部２３ａ、２３ｂの上下方向中間部乃至下端部とを進入させた、上記各凹部１５ａ、１５ｂの上端開口部で前記各ガラス障子２ａ、２ｂの下框７ａ、７ｂにより覆われない部分は、次述するカバー帯２４ａ〜２４ｄにより覆う様にしている。上記各凹部１５ａ、１５ｂの内側面上端部には、これら各カバー帯２４ａ〜２４ｄの両側縁を案内する為のガイド溝２５ａ、２５ｂを、互いに対向する状態で設けている。
【００２２】
上記各ガイド溝２５ａ、２５ｂは、それぞれ２種類ずつの高分子材料を押し出し成形して成るガイド部材２６ａ、２６ｂにより構成している。このうち、各凹部１５ａ、１５ｂ毎に屋内側となる、上記中央突条１９の上端部屋外側面と上記屋内端突条２１の上端部屋外側面とに係止したガイド部材２６ａは、図７に詳示する様に構成している。即ち、このガイド部材２６ａは、上端部屋外側面に設けられた上記ガイド溝２５ａと、中間部屋外側面にその基端部を連結したシールリップ２７とを備える。このうちのガイド溝２５ａは、上記各カバー帯２４ａ〜２４ｄの屋内側端縁を案内して、これら各カバー帯２４ａ〜２４ｄの屋内側端縁が、上記各凹部１５ａ、１５ｂの上端開口部から浮き上がる事を防止する。又、上記シールリップ２７の屋外側面の先端寄り部分は、上記各垂下壁部２３ａ、２３ｂの屋内側面に摺接して、上記各下框７ａ、７ｂと前記下枠４との間をシールする。上記シールリップ２７の基端部は、上記ガイド溝２５ａの直下に位置する。即ち、これらシールリップ２７の基端部とガイド溝２５ａとの間に余分な部分を設けず、このガイド溝２５ａからこのシールリップ２７までの、上下方向距離を短くしている。
【００２３】
又、図示の実施例の場合、下端部屋外側面にバックアップリップ２８を設けている。このバックアップリップ２８の先端部は、上記シールリップ２７が上記各垂下壁部２３ａ、２３ｂの屋内側面に押されて弾性変形した状態で、上記シールリップ２７の中間部先端寄り部分の屋内側面に当接する。そして、このシールリップ２７が上記各垂下壁部２３ａ、２３ｂの屋内側面から退避する方向に弾性変形する事に対する抵抗となり、これらシールリップ２７の屋外側面と上記各垂下壁部２３ａ、２３ｂの屋内側面との当接部の面圧を確保して、上記各下框７ａ、７ｂと上記下枠４との間のシール性向上を図る。
【００２４】
一方、上記ガイド部材２６ａの屋内側面には、このガイド部材２６ａを上記中央突条１９の上端部屋外側面或は上記屋内端突条２１の上端部屋外側面に係止する為の係止片２９ａを形成している。この係止片２９ａは、上記ガイド部材２６ａの本体部分から屋内方向に突出した基部３０と、この基部３０の先端部（屋内側端部）から上下両方向に突出した上下１対の係止部３１、３１とから成る。上記ガイド部材２６ａを係止する、上記中央突条１９の上端部屋外側面と上記屋内端突条２１の上端部屋外側面とには、それぞれ屋外側開口の幅寸法が屋内側の幅寸法に比べて小さくなった、あり溝状の係止溝３２を形成している。上記ガイド部材２６ａは、上記各係止部３１、３１をこの係止溝３２に、弾性変形させつつ係合させる事で、上記中央突条１９の上端部屋外側面と上記屋内端突条２１の上端部屋外側面とに係止する。
【００２５】
上述の様に、上記ガイド部材２６ａを構成するガイド溝２５ａの内面は上記各カバー帯２４ａ〜２４ｄの屋内側端縁と、同じく上記シールリップ２７の屋外側面の先端寄り部分は上記各垂下壁部２３ａ、２３ｂの屋内側面と、それぞれ摺接する。これら各摺接部の摩擦抵抗が大きくなると、前記各ガラス障子２ａ、２ｂを上記下枠４に沿って移動させる為に要する力が大きくなる。従って、上記ガイド溝２５ａの内面と上記シールリップ２７の屋内側面とは、摩擦係数の低い（滑り易い）材料により造る必要がある。これに対して、上記係止片２９ａ部分は、上記係止溝３２への係合作業を容易に行なえる様にすべく、適度に弾性変形し易い材料により造る必要がある。但し、現状では、滑り易く、且つ、適度に弾性変形し易い材料を低コストで得る事はできない。そこで本実施例の場合には、上記ガイド溝２５ａの内面及びシールリップ２７のうちで垂下壁部２３ａ、２３ｂと摺接する部分を、高摺動性ポリオレフィン樹脂等の摩擦係数の低い高分子材料製とし、上記係止片２９ａ部分を、オレフィン系熱可塑性エラストマー等の弾性を有する高分子材料製としている。これら異なる２種類の高分子材料から成る上記ガイド部材２６ａは、一体共押し出し成形により造り、成形と同時にこれら２種類の高分子材料同士を互いに溶着する。尚、滑り易い高分子材料は、上記の他にも、ポリアミド樹脂、ＰＴＦＥ等、従来から知られている各種のものを採用できる。又、弾性を有する高分子材料も、上記の他、各種ゴム材料を採用できる。
【００２６】
一方、前記各凹部１５ａ、１５ｂ毎に屋外側となる、前記各ブラケット２０ａ、２０ｂの上端部屋内側面に係止したガイド部材２６ｂは、図８に詳示する様に構成している。即ち、このガイド部材２６ｂは、屋内側面に前記ガイド溝２５ｂを、屋外側面に係止片２９ｂを、それぞれ設けている。又、このガイド溝２５ｂの内面部分を、高摺動性ポリオレフィン樹脂、ポリアミド樹脂、ＰＴＦＥ等の摩擦係数の低い高分子材料により、上記係止片２９ｂを含む、上記ガイド溝２５ｂの内面以外の部分を、オレフィン系熱可塑性エラストマー、各種ゴム材料等の弾性を有する高分子材料により、それぞれ造っている。
【００２７】
前述の様なガイド部材２６ａと、上述の様なガイド部材２６ｂとは、上記各凹部１５ａ、１５ｂの内側面上端部に、これら各ガイド部材２６ａ、２６ｂのガイド溝２５ａ、２５ｂを同じ高さ位置に設けて互いに対向させた状態で設けている。そして、これら各ガイド溝２５ａ、２５ｂに、前記各カバー帯２４ａ〜２４ｄの両側縁を係合させると共に、これら各カバー帯２４ａ〜２４ｄの一端部を前記各ガラス障子２ａ、２ｂの縦辺を構成する召し合わせ框８ａ、８ｂ、突き合わせ框９ａ、９ｂの下端部に結合している。又、上記各カバー帯２４ａ〜２４ｄの中間部乃至他端部は、前記窓枠１の縦辺を構成する竪枠５ａ、５ｂ内に出入りさせる様にしている。この構成により、この窓枠１の下辺を構成する下枠４の上面に存在する前記各凹部１５ａ、１５ｂの上端開口部で、上記各ガラス障子２ａ、２ｂの下框７ａ、７ｂにより覆われていない部分を、上記各カバー帯２４ａ〜２４ｄにより覆う様にしている。
【００２８】
本実施例の場合、次の(1) 〜(4) に示すカバー帯２４ａ〜２４ｄにより、前記各下部案内レール１４ａ、１４ｂを設置した凹部１５ａ、１５ｂの上端開口の４個所位置を、それぞれ覆う（図２参照）。
(1) 屋外側のガラス障子２ａの突き合わせ框９ａと一方（図２の左方）の竪枠５ａの下端部との間に設け、このガラス障子２ａを解放方向（図２の右方向）に移動させた場合に、屋外側の凹部１５ａの片半部（図２の左半部）の上端開口を覆うカバー帯２４ａ。
(2) 屋外側のガラス障子２ａの召し合わせ框８ａと他方（図２の右方）の竪枠５ｂの下端部との間に設け、このガラス障子２ａを閉鎖方向（図２の左方向）に移動させた場合に、屋外側の凹部１５ａの他半部（図２の右半部）の上端開口を覆うカバー帯２４ｂ。
(3) 屋内側のガラス障子２ｂの突き合わせ框９ｂと他方の竪枠５ｂの下端部との間に設け、このガラス障子２ｂを解放方向（図２の左方向）に移動させた場合に、屋内側の凹部１５ｂの片半部（図２の右半部）の上端開口を覆うカバー帯２４ｃ。
(4) 屋内側のガラス障子２ｂの召し合わせ框８ｂと一方の竪枠５ａの下端部との間に設け、このガラス障子２ｂを閉鎖方向（図２の右方向）に移動させた場合に、屋内側の凹部１５ｂの他半部（図２の左半部）の上端開口を覆うカバー帯２４ｄ。
【００２９】
この様なカバー帯２４ａ〜２４ｄは、それぞれ金属製の巻き尺を構成する金属板の如きステンレス鋼板、或は合成樹脂を一体押し出し成形する事により造られた長尺材等、可撓性及び押し付け力により移動可能な程度の剛性を有する弾性材製である。本実施例の場合には、上記各カバー帯２４ａ〜２４ｄとして、自由状態での断面形状が円弧形となるものを使用して、これら各カバー帯２４ａ〜２４ｄの肉厚を小さく抑えつつ、上記剛性の確保を図っている。尚、これら各カバー帯２４ａ〜２４ｄの湾曲方向は、上記各凹部１５ａ、１５ｂの上端開口を覆った状態で、それぞれの上面が凸曲面となる方向としている。この理由は、上記各カバー帯２４ａ〜２４ｄと前記各下部案内レール１４ａ、１４ｂの上端縁との干渉を防止しつつ、これら各下部案内レール１４ａ、１４ｂの高さ寸法を確保する為である。
【００３０】
この様な上記各カバー帯２４ａ〜２４ｄの一端部は、それぞれ上記各ガラス障子２ａ、２ｂの召し合わせ框８ａ、８ｂ又は突き合わせ框９ａ、９ｂの下端部に結合し、これら各ガラス障子２ａ、２ｂの移動に伴って押し引きされる様にしている。上記各カバー帯２４ａ〜２４ｄの一端部を上記各框８ａ、８ｂ、９ａ、９ｂの下端部に結合する為の構造は特に問わない。それぞれの両端縁を前記各ガイド溝２５ａ、２５ｂに係合させた上記各カバー帯２４ａ〜２４ｄの一端部を上記各框８ａ、８ｂ、９ａ、９ｂの下端部に結合し、上記各ガラス障子２ａ、２ｂの移動に伴って上記各カバー帯２４ａ〜２４ｄの一端部が押し引きされる構造であれば良い。
【００３１】
図９は、この様に上記各カバー帯２４ａ〜２４ｄの一端部を上記各框８ａ、８ｂ、９ａ、９ｂの下端部に結合する部分の構造の１例を示している。この構造では、上記各カバー帯２４ａ〜２４ｄの一端部に係止孔３３を形成すると共に、上記各框８ａ、８ｂ、９ａ、９ｂの下端部外側面に係止ブラケット３４を固定している。そして、この係止ブラケット３４に垂下した係止ピン３５を上記係止孔３３に挿入する事により、上記各框８ａ、８ｂ、９ａ、９ｂの動きを上記各カバー帯２４ａ〜２４ｄの一端部に伝達自在としている。尚、上記各框８ａ、８ｂ、９ａ、９ｂに対する上記係止ブラケット３４の上下取付位置は、若干の調節自在として、上記各ガラス障子２ａ、２ｂの高さ調節に拘らず、上記係止ピン３５と上記係止孔３３とが確実に係合する様にする。
【００３２】
又、前記下枠４の両端部のそれぞれ２個所位置ずつ、合計４個所位置に、それぞれ図１０に示す様なガイドブラケット３６ａ、３６ｂを設けている。これら各ガイドブラケット３６ａ、３６ｂ内には、上記各カバー帯２４ａ〜２４ｄの方向を９０度変更する為のガイド通路が設けられている。このガイド通路は、水平部と鉛直部とを四分の一円弧状の湾曲部により滑らかに連続させて成る。この様なガイド通路を有する上記各ガイドブラケット３６ａ、３６ｂは、それぞれ上記下枠４の両端部上面と前記各竪枠５ａ、５ｂの下端部内側面との間に掛け渡している。この状態で、上記各ガイドブラケット３６ａ、３６ｂのガイド通路の水平部側開口端部は、前記各凹部１５ａ、１５ｂの水平方向端上端部に、同じく鉛直部側開口部は前記各竪枠５ａ、５ｂに設けた収納部３７ａ〜３７ｄの下端開口部に、それぞれ整合している。
【００３３】
尚、上記各ガイドブラケット３６ａ、３６ｂのうち、召し合わせ框８ａ、８ｂに対向するガイドブラケット３６ａは、この召し合わせ框８ａ、８ｂと竪枠５ａ、５ｂとが衝突するのを防止するストッパとしての機能を備える為、上記下枠４の長さ方向の寸法を確保している。これに対して、突き合わせ框９ａ、９ｂに対向するガイドブラケット３６ｂは、この突き合わせ框９ａ、９ｂが上記竪枠５ａ、５ｂに十分に近接できる様にする為、上記下枠４の長さ方向の寸法を小さくしている。内部に設けるガイド通路の形状に就いては、上記各ガイドブラケット３６ａ、３６ｂ同士の間で、基本的な差はない。
【００３４】
又、上記各収納部３７ａ〜３７ｄを設ける為に、上記各竪枠５ａ、５ｂはそれぞれ、竪枠本体３８ａ、３８ｂの内側面に、内側ブラケット３９ａ、３９ｂを突き合わせ結合して成る。そして、これら各竪枠本体３８ａ、３８ｂの内側面とこれら各内側ブラケット３９ａ、３９ｂの外側面との間の隙間の一部を、上記各収納部３７ａ〜３７ｄとしている。尚、上記各内側ブラケット３９ａ、３９ｂは、上記各竪枠本体３８ａ、３８ｂの下端部には設けず、この下端部には、上記各ガイドブラケット３６ａ、３６ｂの一部を突き当てている。そして、上記各収納部３７ａ〜３７ｄの下端開口部と、これら各ガイドブラケット３６ａ、３６ｂのガイド通路の鉛直部側（上端）開口部とは、互いに突き合わせ、上記各収納部３７ａ〜３７ｄと上記ガイド通路とを連続させている。この構成により、これら各収納部３７ａ〜３７ｄとガイド通路との間で、上記各カバー帯２４ａ〜２４ｄを受け渡し自在としている。本実施例の場合には、上記各収納部３７ａ〜３７ｄの内面のうちで上記各カバー帯２４ａ〜２４ｄと摺接する部分を、合成樹脂製のライナ部材４０、４０により覆って、上記各収納部３７ａ〜３７ｄ内での上記各カバー帯２４ａ〜２４ｄの移動に対する摩擦抵抗の低減を図っている。
【００３５】
又、本実施例の場合には、前記各ガイド部材２６ａ、２６ｂに形成した前記各ガイド溝２５ａ、２５ｂの水平方向端部と、上記各ガイドブラケット３６ａ、３６ｂのガイド通路の水平部側開口部とを、互いに突き合わせ、上記各ガイド溝２５ａ、２５ｂと上記ガイド通路とを連続させている。この構成により、これら各ガイド溝２５ａ、２５ｂとガイド通路との間で、上記各カバー帯２４ａ〜２４ｄを受け渡し自在としている。
【００３６】
上述の様に構成する本実施例の場合、前記各ガラス障子２ａ、２ｂを移動させれば、当該ガラス障子２ａ、２ｂの召し合わせ框８ａ、８ｂ及び突き合わせ框９ａ、９ｂと前記各竪枠５ａ、５ｂとの間で上記各カバー帯２４ａ〜２４ｄの受け渡しが行なわれる。そして、上記各凹部１５ａ、１５ｂの一部で、上記各ガラス障子２ａ、２ｂの下框７ａ、７ｂにより覆われない部分を、上記各カバー帯２４ａ〜２４ｄにより覆う。即ち、上記各ガラス障子２ａ、２ｂの移動に伴って、上記各框８ａ、８ｂ、９ａ、９ｂが、対向する竪枠５ａ、５ｂから離れると、当該竪框８ａ、８ｂ、９ａ、９ｂの下端部に結合された上記各カバー帯２４ａ〜２４ｄが、当該竪枠５ａ、５ｂの収納部３７ａ〜３７ｄから、前記ガイドブラケット３６ａ、３６ｂに設けたガイド通路部分で方向を９０度変更されつつ、引き出される。そして、これら各カバー帯２４ａ〜２４ｄが、上記各竪框８ａ、８ｂ、９ａ、９ｂの下端部と上記各竪枠５ａ、５ｂの下端部との間に掛け渡された状態で、上記各凹部１５ａ、１５ｂの上端開口で、上記各竪框８ａ、８ｂ、９ａ、９ｂの下端部と上記各竪枠５ａ、５ｂの下端部との間に露出した部分を覆う。この状態では、この下枠４の上面のうちで上記各竪框８ａ、８ｂ、９ａ、９ｂの下端部と上記各竪枠５ａ、５ｂの下端部との間部分の体裁を良好にし、且つ、この間部分で、上記各凹部１５ａ、１５ｂ内に異物が落下する事を防止できる。
【００３７】
又、本実施例の場合には、前記各収納部３７ａ〜３７ｄから引き出されて上記各凹部１５ａ、１５ｂの一部を覆った、上記各カバー帯２４ａ〜２４ｄの両側縁が、上記各ガイド溝２５ａ、２５ｂに係止された状態となる。この為、これら各カバー帯２４ａ〜２４ｄの両端縁が上記各凹部１５ａ、１５ｂの開口縁部から浮き上がる事を確実に防止できる。この結果、これら各凹部１５ａ、１５ｂ内に細かい異物が入り込んだり、上記各カバー帯２４ａ〜２４ｄに何らかの物が引っ掛かる事を有効に防止できる。
【００３８】
一方、上記各ガラス障子２ａ、２ｂの移動に伴って、上記各框８ａ、８ｂ、９ａ、９ｂが対向する竪枠５ａ、５ｂに近づくと、当該竪框８ａ、８ｂ、９ａ、９ｂの下端部に結合された上記各カバー帯２４ａ〜２４ｄが、当該竪枠５ａ、５ｂの収納部３７ａ〜３７ｄ内に、前記ガイドブラケット３６ａ、３６ｂに設けたガイド通路部分で方向を９０度変更されつつ、押し込まれる。上記各カバー帯２４ａ〜２４ｄは、金属製の巻き尺の如き性状で、押し付け方向に対し或る程度の剛性を有するので、上記各ガラス障子２ａ、２ｂの移動に伴って、上記各収納部３７ａ〜３７ｄ内に確実に押し込まれる。
【００３９】
上記各ガラス障子２ａ、２ｂの移動に伴って摺接する部分、即ち、前記シールリップ２７の屋外側面と前記垂下壁部２３ａ、２３ｂの屋内側面との接触部、前記各ガイド溝２５ａ、２５ｂの内面と上記各カバー帯２４ａ〜２４ｄの両側縁との接触部、これら各カバー帯２４ａ〜２４ｄと前記各ライナ部材４０、４０との接触部は、何れも互いに摺接する２面のうちの一方の面が、滑り易い材料により覆われている。この為、上記各ガラス障子２ａ、２ｂの移動に要する力は軽くて済む。
【００４０】
更に、本実施例の場合には、上記各凹部１５ａ、１５ｂの屋内側開口部に設けた前記ガイド部材２６ａに前記シールリップ２７を、一体に設けている為、上記各ガラス障子２ａ、２ｂを構成する前記下框７ａ、７ｂと、前記窓枠１を構成する前記下枠４との間の隙間を塞いで、屋内外の気密保持を良好に図れる。しかも、上記各凹部１５ａ、１５ｂの深さ方向に関して、上記ガイド溝２５ａと上記シールリップ２７との距離を短くできる。この為、上記各凹部１５ａ、１５ｂ内への前記各垂下壁部２３ａ、２３ｂの進入量ｈを小さくしても、上記シールリップ２７の先端縁をこれら各垂下壁部２３ａ、２３ｂの屋内側面に確実に当接させられる。そして、上記進入量ｈを少なく抑える事により、上記各ガラス障子２ａ、２ｂを少し上昇させただけで、上記各垂下壁部２３ａ、２３ｂの下端縁が上記各凹部１５ａ、１５ｂの上端開口から上方に出る様になり、上記窓枠１に対して上記各ガラス障子２ａ、２ｂを着脱する作業を容易に行なえる構造を実現できる。
【００４１】
即ち、周知の様に、上記ガラス障子２ａ、２ｂ等の引戸障子を窓枠に建て込む際には、この引戸障子を傾斜させた状態で上昇させつつ、この引戸障子の上框と上記窓枠の上枠とを係合させる。次いで、この引戸障子を鉛直方向にしつつ、この引戸障子の下框を上記窓枠の下枠の上に移動させてから、この引戸障子を下降させ、これら下框と下枠とを係合させる。窓枠から引戸障子を取り外す作業は、この様な建て込みの場合と逆の手順で行なう。この様な、けんどん式の着脱方法を本実施例の構造に適用する場合、着脱作業の過程で、上記各垂下壁部２３ａ、２３ｂの下端縁を上記各凹部１５ａ、１５ｂの上端開口から上方に抜き出す必要がある。上記ガラス障子２ａ、２ｂを上記窓枠１内に建て込んだ状態で、上記各凹部１５ａ、１５ｂ内への前記各垂下壁部２３ａ、２３ｂの進入量が多くなると、上記各垂下壁部２３ａ、２３ｂの下端縁を上記各凹部１５ａ、１５ｂの上端開口から上方に抜き出しにくくなる。
【００４２】
例えば、図１１に示す様に、カバー帯２４ａ、２４ｄの屋内側縁を案内するガイド部材２６ｃと、シールリップ２７ａとを別体とした場合、図５〜７に示した本実施例の構造に比べて、このシールリップ２７ａの位置が、下枠４の上面を基準として、より下方に位置する様になる。この為、このシールリップ２７ａと各垂下壁部２３ａ、２３ｂの屋内側面とを確実に接触させる為には、これら各垂下壁部２３ａ、２３ｂの下端縁位置を、図５〜６に示した本実施例の場合よりも下方に位置させる必要がある。この為、図１１に示した例では、各凹部１５ａ、１５ｂ内への上記各垂下壁部２３ａ、２３ｂの進入量Ｈが大きくなり、窓枠１内へのガラス障子２ａ、２ｂの着脱を可能にする為の設計の自由度が損なわれる。又、着脱可能にできても、着脱時に上記各ガラス障子２ａ、２ｂを持ち上げなければならない高さが大きくなり、非力な作業者にとっては、着脱作業が面倒になる。本実施例の場合、前記ガイド部材２６ａに前記シールリップ２７を一体に設ける事で、この様な面倒を解消している。
【実施例２】
【００４３】
図１２〜１５は、本発明の実施例２として、召し合わせ框８ａ、８ｂ（図２参照）に対向するガイドブラケット３６ａ´をより具体化した構造を示している。このガイドブラケット３６ａ´は、ポリアミド６６等、適宜の合成樹脂を射出成形する事により造られたもので、下枠４の端部に固定した状態で、この下枠４の上面に突出する本体部分４１と、この本体部分４１の下面から垂下された脚部４２とを備える。これら本体部分４１と脚部４２とには、上下方向に貫通する取付孔４３を設けている。又、この本体部分４１の下面及び片側面（図１２の左手前側面）には、カバー帯２４ｂ、２４ｄの中間部を、方向を９０度変えつつ案内するガイド通路を構成する為の凹部４４を設けている。この凹部４４は、水平部４５と、鉛直部４６と、これら両部４５、４６同士を滑らかに連続させる四分の一円弧状の湾曲部４７とから成る。
【００４４】
この様なガイドブラケット３６ａ´は、上記脚部４２を凹部１５ｂ（１５ａ）内に進入させると共に、この脚部４２の先端面をこの凹部１５ｂ（１５ａ）の底面に突き当てた状態で、上記取付孔４３を上方から挿通したねじ４８により、上記下枠４に対し固定する。尚、上記本体部分４１には、このねじ４８の頭部４９を収納自在な凹部５０を設けているが、この凹部５０の上端開口部は、このねじ４８の螺合・緊締作業後、ポリアミド６等の合成樹脂製のカバー５１により塞いでおく。
【実施例３】
【００４５】
図１６〜１７は、本発明の実施例３として、竪枠５ｂ（５ａ）内の収納部３７ｂ、３７ｃ（３７ａ、３７ｄ）の内面を覆うライナ部材４０ａの別例を示している。本実施例を構成するライナ部材４０ａは、帯状のステンレス鋼板の幅方向両端部近傍を同方向に直角に折り曲げて成る。この様なライナ部材４０ａを上記各収納部３７ｂ、３７ｃ（３７ａ、３７ｄ）内に設置した状態では、ステンレス鋼板等の硬質金属製のカバー帯２４ｂ、２４ｃ（２４ａ、２４ｄ）と、アルミニウム合金製の竪枠５ｂ（５ａ）とが擦れ合う事を防止して、この竪枠５ｂ（５ａ）の摩耗を防止する。
【産業上の利用可能性】
【００４６】
図示の実施例は、本発明を引違戸に適用した場合に就いて説明した。これに対して本発明は、図示の様な引違戸に限らず、障子を水平方向に移動して開口部の開閉を行なう引戸装置であれば実施できる。例えば、引戸障子を１枚のみ設けた引戸でも、本発明を実施する事はできる。
【図面の簡単な説明】
【００４７】
【図１】本発明の実施例１を示す、引戸障子を屋内側から見た略正面図。
【図２】図１の拡大Ａ−Ａ断面図。
【図３】図２のＢ部拡大図。
【図４】同Ｃ部拡大図。
【図５】図１の拡大Ｄ−Ｄ断面図。
【図６】図５のＥ部拡大図。
【図７】ガイド溝とシールリップとを一体としたガイド部材の拡大断面図。
【図８】ガイド溝のみ設けたガイド部材の拡大断面図。
【図９】竪框の下端部とカバー帯の端部との結合部の略分解斜視図。
【図１０】ガイドブラケット設置部の略斜視図。
【図１１】ガラス障子の着脱が面倒になる構造の１例を示す、図６と同様の図。
【図１２】本発明の実施例２に組み込むガイドブラケットを下方屋内側から見た斜視図。
【図１３】同じく上方屋外側から見た斜視図。
【図１４】下框への組み付け状態を示す縦断図。
【図１５】同じく平面図。
【図１６】本発明の実施例３を示す、図３と同様の図。
【図１７】同じくライナ部材を取り出して示す、端面図及び内側面図。
【符号の説明】
【００４８】
１、１ａ  窓枠
２ａ、２ｂ  ガラス障子
３    上枠
４    下枠
５ａ、５ｂ  竪枠
６ａ、６ｂ  上框
７ａ、７ｂ  下框
８ａ、８ｂ  召し合わせ框
９ａ、９ｂ  突き合わせ框
１０ａ、１０ｂ  ガラスパネル
１１ａ、１１ｂ  上部案内レール
１２ａ、１２ｂ  ガイドブロック
１３ａ、１３ｂ  ガイド溝
１４ａ、１４ｂ  下部案内レール
１５ａ、１５ｂ  凹部
１６ａ、１６ｂ  戸車
１７ａ、１７ｂ  凹溝
１８    屋外端突条
１９    中央突条
２０ａ、２０ｂ  ブラケット
２１    屋内端突条
２２ａ、２２ｂ  屋内側壁
２３ａ、２３ｂ  垂下壁部
２４ａ、２４ｂ、２４ｃ、２４ｄ  カバー帯
２５ａ、２５ｂ  ガイド溝
２６ａ、２６ｂ、２６ｃ  ガイド部材
２７、２７ａ  シールリップ
２８    バックアップリップ
２９ａ、２９ｂ  係止片
３０    基部
３１    係止部
３２    係止溝
３３    係止孔
３４    係止ブラケット
３５    係止ピン
３６ａ、３６ａ´、３６ｂ  ガイドブラケット
３７ａ、３７ｂ、３７ｃ、３７ｄ  収納部
３８ａ、３８ｂ  竪枠本体
３９ａ、３９ｂ  内側ブラケット
４０、４０ａ  ライナ部材
４１    本体部分
４２    脚部
４３    取付孔
４４    凹部
４５    水平部
４６    鉛直部
４７    湾曲部
４８    ねじ
４９    頭部
５０    凹部
５１    カバー
【図１】
2005226325.tif 000003
【図２】
2005226325.tif 000004
【図３】
2005226325.tif 000005
【図４】
2005226325.tif 000006
【図５】
2005226325.tif 000007
【図６】
2005226325.tif 000008
【図７】
2005226325.tif 000009
【図８】
2005226325.tif 000010
【図９】
2005226325.tif 000011
【図１０】
2005226325.tif 000012
【図１１】
2005226325.tif 000013
【図１２】
2005226325.tif 000014
【図１３】
2005226325.tif 000015
【図１４】
2005226325.tif 000016
【図１５】
2005226325.tif 000017
【図１６】
2005226325.tif 000018
【図１７】
2005226325.tif 000019